(57)【要約】【課題】持ち重り感を軽減して操作性に優れた握り部を有する釣竿を提供すること。【解決手段】繊維強化プリプレグシートを積層して形成した竿杆１２の元部に、この竿杆を拡径した拡径部１６を形成し、この拡径部１６に握り部１４を形成した釣竿１０であって、握り部１４は、元側端面１６Ａよりも前方で、握り部１４の軸方向中間位置Ｃよりも後方部位に、竿杆１２と一体でかつ周方向に延びる盛上り部１４Ａを有する釣竿１０。【選択図】  図１
2014193133.tif 000002
【特許請求の範囲】
【請求項１】
繊維強化プリプレグシートを積層して形成した竿杆の元部に、この竿杆を拡径した拡径部を形成し、この拡径部に握り部を形成した釣竿であって、
前記握り部は、元側端面よりも前方で、握り部の軸方向中間位置よりも後方部位に、竿杆と一体でかつ周方向に延びる盛上り部を有することを特徴とする釣竿。
【請求項２】
前記盛上り部は、前記竿杆中で最大の肉厚を有する部位で最大の外径を有することを特徴とする請求項１に記載の釣竿。
【請求項３】
前記握り部は、前記盛上り部から前方に向けて外径を先細り状に形成されていることを特徴とする請求項１又は２に記載の釣竿。
【請求項４】
前記握り部は、竿杆の長さ方向中央部より、元側に形成され、竿杆の全長に対する長さの比率よりも、竿杆の全重量に対する重さの比率が大きいことを特徴とする請求項１から３のいずれか１に記載の釣竿。
【請求項５】
前記握り部は、握り部の長さ方向中央位置よりも元側に重心を有することを特徴とする請求項１から４のいずれか１に記載の釣竿。
【請求項６】
前記握り部は、拡径部の外周面に糸条を密着巻きされていることを特徴とする請求項１から５のいずれか１に記載の釣竿。
【発明の詳細な説明】
【技術分野】
【０００１】
本発明は、釣竿に関し、特に竿杆の元部に握り部を有する釣竿に関する。
【背景技術】
【０００２】
一般に、ヘラ竿等の軽量構造の釣竿は、釣竿の全長に応じた長さの握り部を竿杆の元側に設けてあり、釣竿を操作する際は、握り部を側方から握り込み、あるいは、竿尻を掌の中央に押し当てた状態で元側から握り込むのが一般的である。いずれの場合も、握った感触が良好で、握り部を握持し易く良好な操作性が得られるように、大径構造に形成した種々の釣竿が提案されている。
【０００３】
このような釣竿には、竿杆の元側に、竿杆の前方の径の変化率よりも大きな緩傾斜率で滑らかに拡径し、段部を形成することなく、竿杆と一体構造で直線状の握り部を形成した釣竿が提案されている（例えば特許文献１参照）。
【０００４】
また、一部のメインプリプレグの竿元側を三角形状に切り取り、竿元側端部から一定の軸方向範囲において竿元側ほど巻回幅が小さくなり、竿元側端部において巻回幅がゼロとなるように巻回し、更に、竿元側に比重の大きな重量プリプレグを巻回することにより、竿元側の端部を厚肉化することなく、部分的に加重し、長い釣竿における持ち重り感を解消すると共に、尻栓部材の外径との統一性を図る竿体が提案されている（例えば特許文献２参照）。
【先行技術文献】
【特許文献】
【０００５】
【特許文献１】実公平３−４０１４７号公報
【特許文献２】特開２００５−４０１０３号公報
【発明の概要】
【発明が解決しようとする課題】
【０００６】
しかし、竿杆の元側を拡径した竿杆と一体構造で直線状の握り部を形成した釣竿は、例えば釣竿を引上げ、立てたときに滑りやすい。一方、複数枚のメインプリプレグのうち、一部のメインプリプレグシートの竿元側を三角形状に切り取り、竿元側の巻回幅を小さくした竿体は、製造工程が煩雑となることに加え、切取ったプリプレグ材料の無駄が生じる。更に、メインプリプレグの一部を切り取るために、竿杆の形状形成の自由度が低下する。
【０００７】
本発明は、このような事情に基づいてなされたもので、握持した手にフィットして持ち易く、持ち重り感を軽減して操作性に優れた握り部を有する釣竿を提供することを目的とする。
【課題を解決するための手段】
【０００８】
上記目的を達成する本発明の釣竿は、繊維強化プリプレグシートを積層して形成した竿杆の元部に、この竿杆を拡径した拡径部を形成し、この拡径部に握り部を形成した釣竿であって、前記握り部は、元側端面よりも前方で、握り部の軸方向中間位置よりも後方部位に、竿杆と一体でかつ周方向に延びる盛上り部を有することを特徴とする。
【０００９】
前記盛上り部は、前記竿杆中で最大の肉厚を有する部位で最大の外径を有することが好ましい。  
また、前記握り部は、前記盛上り部から前方に向けて外径を先細り状に形成されていることが好ましい。  
前記握り部は、竿杆の長さ方向中央部より、元側に形成され、竿杆の全長に対する長さの比率よりも、竿杆の全重量に対する重さの比率が大きいことが好ましい。  
更に、前記握り部は、握り部の長さ方向中央部よりも元側に重心を有することが好ましい。  
前記握り部は、前記拡径部の外周面に糸条を密着巻きされていることが好ましい。
【発明の効果】
【００１０】
本発明の釣竿によると、竿杆の拡径部に設けられた握り部が、元側端面よりも前方で、握り部の軸方向中間位置よりも後方部位に、竿杆と一体でかつ周方向に延びる盛上り部を有することにより、この盛り上がり部が握持する手の掌にフィットし、手に持ち易く、持ち重り感が軽減されて優れた操作性を提供する。  
盛上り部が最大の外径を有することにより、元側の外径を小径化し、小指に力が入り易く、また、前方に向けて先細り状に形成されることにより、親指や人差し指の操作を行い易い。  
握り部が竿杆の長さ方向中央部より、元側に形成され、竿杆の全長に対する長さの比率よりも、竿杆の全重量に対する重さの比率を大きく、又は、握り部の長さ方向中央部よりも元側に重心を有することにより、持ち重り感をより軽減することができる。  
このような握り部が、拡径部の外周面に糸条を密着巻きされる場合には、更に、手にフィットした状態で滑り難く、快適な操作性が得られる。
【図面の簡単な説明】
【００１１】
【図１】本発明の好ましい実施形態による釣竿の一部を示す説明図。
【図２】図１に示す釣竿を形成するプリプレグシート配置例を示す説明図。
【図３】図1の釣竿の握り部を形成するプリプレグシートの巻回例の説明図。
【図４】握り部の部分断面図。
【図５】握り部を握持した状態の説明図。
【発明を実施するための形態】
【００１２】
図１は、本発明の好ましい実施形態による釣竿１０の一部を示す。図中、同様な部位には同様な符号を付してある。
【００１３】
この釣竿１０は、例えばヘラ竿等の湖や釣堀等でフナや鯉等の釣用として好適なものである。この釣竿１０は、炭素繊維あるいはガラス繊維等の強化繊維に合成樹脂を含浸した繊維強化プリプレグを芯金に巻回することで中空構造に形成された繊維強化合成樹脂製の竿杆１２を有する。
【００１４】
この釣竿１０は、１本の長尺の竿杆で形成することも可能であるが、複数の竿杆を順に継合して、例えば４ｍ以上の長さに形成することが好ましい。本実施形態における釣竿１０は、振り出し式釣竿として形成してあり、図１には、最も大径の元竿を示してある。この竿杆１２は、周方向に延びる盛上り部１４Ａを外周部に配置して握持し易い外形形状とした握り部１４を元部側に一体にかつ拡径させて形成した拡径部１６に配置し、この握り部１４の後端に例えば金属（アルミニュウームあるいは黄銅等）又は樹脂（ＡＢＳあるいはナイロン樹脂）で形成した尻栓部材１８を例えば螺合により取付けた中空構造を有する。この尻栓部材１８を竿杆１２から取外すことにより、穂先側に向けて順に細径となる例えば３本又は４本の複数の竿杆（図示しない）を内部に収納することができる。
【００１５】
釣りを行う場合は、竿杆１２の先端から順に細径の竿杆を繰出し、細径の竿杆の基端側外周面を大径の竿杆の先端側の内周面とを摩擦力で保持し、実釣に適した長さにすることができる。このような振り出し式釣竿をフナや鯉等の釣りに適したものとする場合には、元竿を形成する竿杆１２は、竿杆１２の全体の長さＬを例えば９００〜１５００ｍｍで、握り部１４の長さＨを５０〜５００ｍｍ、握り部１４の先端側における竿杆１２の外径ｄを５〜２０ｍｍ程度に形成することが好ましい。
【００１６】
図２に示すように、竿杆１２は、強化繊維に合成樹脂を含浸した繊維強化プリプレグシート（以下、単にプリプレグと称する）を、竿杆１２の全長よりも長さの長い芯金Ｍに巻回して形成される。このようなプリプレグは、強化繊維として例えばカーボン繊維あるいはガラス繊維等を用いるのが好ましく、強化繊維に含浸する樹脂としては、例えばエポキシ樹脂、ポリエステル樹脂、フェノール樹脂等の熱硬化性樹脂が好ましく、ポリアミド等の熱可塑性樹脂を混在させてもよい。通常は、このようなプリプレグを芯金Ｍに巻回し、硬化した後、先端部と後端部を切り取り、先側端面と元側端面１６Ａとの間の全長Ｌの竿杆１２を形成する。
【００１７】
この竿杆１２を形成する芯金Ｍは、例えば、内径が１０〜２０ｍｍ、勾配が０．３／１０００〜２０／１０００程度の小径部を竿杆１２に形成する先端側部位Ｆから、傾斜変化部Ｔを介して、例えば内径が１５〜３０ｍｍ、勾配が５／１０００〜１００／１０００程度の拡径部１６を竿杆１２に形成する後端側部位Ｓに滑らかに移行させ、一般的には大きさが定められている尻栓部材１８に対応した竿径を形成するようになっている。また、傾斜変更部Ｔは、例えば５／１０００〜１００／１０００の範囲で傾斜させることが好ましい。
【００１８】
なお、本願明細書中、滑らかとは、肉眼で目視できる程度の段部が形成されない状態をいう。
【００１９】
このような傾斜変化部Ｔを芯金Ｍの中間部に設けることにより、例えばヘラ竿のように細径化・軽量化が望まれている釣竿の竿尻側を滑らかに拡径し、この傾斜変化部Ｔから後端側部Ｓにわたって形成される拡径部１６に握り部１４を設けることができる。握り部１４がこのような芯金Ｍの勾配変化部Ｔ及び後端側部位Ｓによる拡径部１６に形成されることで、握持性を良好にすると共に、規格寸法の尻栓部材１８を採用することができる。しかも、傾斜変化部Ｔにより、握り部１４がその前方の竿杆１２から段部を形成することなく、拡径部１６に滑らかに移行させることができる。これにより、振り出し式釣り竿の場合は、竿杆１２の内面も先端側から拡径部１６まで滑らかな傾斜面が形成され、内部に収納した細径の竿杆の外面を傷付ける虞が無くなる。なお、後端側部位Ｓは好適な握持性を形成するものであれば適宜の勾配に形成することが可能である。
【００２０】
このような芯金Ｍに巻回するプリプレグは、竿杆１２の全長にわたって連続する本体層形成プリプレグだけでなく、必要に応じて、竿杆１２の全長よりも短い補助プリプレグを所要部位に巻回することが好ましい。
【００２１】
図２に例示するプリプレグの配置例すなわち、芯金Ｍに巻回する順序の例では、芯金Ｍの傾斜変化部Ｔに、強化繊維を芯金Ｍすなわち竿杆１２の周方向に主たる繊維方向を引き揃えた傾斜部補助プリプレグ２０を巻回し、竿杆１２の内面の傾斜が急激に変化する部位を補強すると共に、この内面を保護している。また、竿杆１２の先端部には、例えばカーボン繊維やガラス繊維のプリプレグからなる先端補助プリプレグ２２を巻回することで、内部から振出した細径の竿杆の基端側外周面との継合面を補強してある。更に、芯金Ｍの傾斜変化部Ｔから後端側部位Ｓに、主たる繊維方向が周方向のプリプレグからなる拡径部補助プリプレグ２４を巻回し、傾斜変化部Ｔ及び後端側部位Ｓで形成される拡径部１６の全体を補強している。これらの補助プリプレグ２０，２２，２４の巻回数は、竿杆１２のそれぞれの部位の必要強度により設定する。
【００２２】
竿杆１２の全長にわたって連続する本体層形成プリプレグ２６は、強化繊維を竿杆１２の軸長方向に引き揃えた軸長方向プリプレグ２６ａと、周方向プリプレグ２６ｂとで形成することが好ましく、巻回数又はそれぞれの枚数は、必要とする竿杆１２に応じて選定することができる。図示のように、周方向プリプレグ２６ｂを軸長方向プリプレグ２６ａの上側すなわち外側に巻回するだけでなく、周方向プリプレグ２６ｂの上側に軸長方向プリプレグ２６ａを巻回してもよく、更に、周方向プリプレグ２６ｂを挟んで、この周方向プリプレグ２６ｂの両側に軸長プリプレグ２６ａを巻回してもよい。なお、補助プリプレグ２０，２２，２４により、竿杆１２の径方向強度が確保できる場合には、周方向プリプレグ２６ｂを省略することも可能である。
【００２３】
巻回する場合は、軸長方向プリプレグ２６ａに周方向プリプレグ２６ｂを重ねた状態で一緒に巻回してもよく、個別に一枚ずつ巻回してもよい。また、複数枚のプリプレグを巻回する場合には、周部における曲げ剛性を均一にするため、特に、繊維方向の同じプリプレグの巻き始め位置を周方向に順にずらして均等に配置することが好ましく、下側すなわち下層側に配置される補助プリプレグ２２，２４と共に巻回することも可能である。
【００２４】
更に、本体層形成プリプレグ２６の上側には、軸長方向プリプレグで形成した先端側分割プリプレグ２８を先端側部位Ｆから傾斜変化部Ｔにわたって巻回し、後端側分割プリプレグ３０を傾斜変化部Ｔから後端側部位Ｓにわたって巻回してある。このように本体層形成プリプレグを分割して形成してもよい。これらの分割プリプレグ２８，３０は、軸長方向プリプレグに限らず、巻回する部位に応じて周方向プリプレグでもよく、強化繊維を軸長方向に対して傾斜配置した斜向プリプレグで形成してもよい。
【００２５】
そして、芯金Ｍの傾斜変化部Ｔ及び後端側部位Ｓで形成される竿杆１２の拡径部１６には、周方向に延びる盛上り部１４Ａを形成する補助シート３２を巻回してある。この補助シート３２は、周方向プリプレグ又はガラス繊維等のスクリム等、この握り部１４に重量を追加することのできる材料で形成することが好ましい。
【００２６】
図３の（Ａ）に概略的に示すように、本実施形態の芯金Ｍは、傾斜変更部Ｔが比較的急傾斜の前部変更部Ｔ１と、この前部変更部Ｔ１よりも傾斜角度が小さくかつ後端側部位Ｓよりも傾斜角度の大きい後部変更部Ｔ２とを有し、前端側部位Ｆから後端側部位Ｓまで滑らかに拡径させている。前部変更部Ｔ１の軸方向長さは、後部変更部Ｔ２の軸方向長さよりも短く形成することが好ましい。また、これらの前部変更部Ｔ１と後部変更部Ｔ２とをあわせた傾斜変更部Ｔの軸方向長さは、盛上り部１４Ａとの関係から、握り部１４又は拡径部１６の軸方向長さＨの５〜５０％程度で、特に１０〜３０％程度とすることが好ましい。また、前部変更部Ｔ１は拡径部１６の軸方向長さＨの４０〜８０％程度とすることが好ましい。
【００２７】
このような傾斜変更部Ｔの後部変更部Ｔ２に対し、上述の後端側補助プリプレグ３０の先端側の傾斜した縁部３０ａを配置して巻回することで、竿杆１２の内面が滑らかに後方に向けて拡径されると共に、竿杆１２の外周面の傾斜を大きくし、拡径部１６（図１）の先端側における肉厚が後方に向けて次第に増加させることができる。また、前部変更部Ｔ１により、握り部１２の前部部位が先細状に形成される。
【００２８】
本実施形態の補助シート３２は、巻き始め側を底辺とする二等辺三角形状に形成してある。この補助シート３２の底辺側縁部３２ａの長さは、握り部１４の長さＨの４０〜８０％程度に形成してあり、底辺側縁部３２ａの先端側が後部変更部Ｔ２の後端側縁部に掛かる程度の位置から巻回することが好ましい。このように補助シート３２を巻回することにより、図４に示すように、握り部１４の肉厚を増大する。
【００２９】
なお、このような三角形状の補助シート３２に代え、または、このような三角形状の補助シート３２と共に、図３の（Ｂ）に示すような等脚台形状の補助シート３３を使用することも可能である。この場合には、盛上り部１４Ａの頂部の外形をなだらかに形成することが可能となる。また、補助シート３２，３３は、盛上り部１４Ａを形成できるものであれば、適宜の不等辺三角形または不等脚台形であってもよい。
【００３０】
図４に示すように、補助シート３２を巻回された盛上り部１４Ａは、軸長方向に沿う断面形状が、頂部３４からそれぞれ後方及び前方に延びる腹部３６，３８が小径部１４ｂ及び先細部１４Ｃに連続する山形状に形成される。この盛上り部１４Ａは頂部３４の部位で肉厚が最も厚く、握り部１４中で最大の肉厚部を形成する。腹部３６，３８は、頂部３４から次第に肉厚が減じられ、小径部１４Ｂ及び先細部１４Ｃに滑らかに移行する。頂部３４における肉厚は、小径部１４ｂの後端部の肉厚の１．２〜３倍程度、先細部１４Ｃの先端部の肉厚の１．２〜４倍程度に形成することが好ましい。
【００３１】
図１に示すように、このように形成された竿杆１２の握り部１４は、盛上り部１４Ａが、元側端面１６Ａよりも先端側すなわち前方で、握り部１４の軸方向中間位置Ｃよりも後方部位に位置し、頂部３４で最大の外径Ｄ１を形成する。この盛上り部１４Ａと元側端面１６Ａとの間には、握持した手の小指が当たる小径部１４Ｂが配置され、この小径部１４Ｂの元側の外径Ｄ２は、Ｄ１よりも小径に形成される。また、この盛上り部１４Ａから前方に向けて、握り部１４は前部変更部Ｔ１により外径を先細り状に形成された先細部１４Ｃが形成され、その先端側の外径Ｄ３は、小径部１４Ｂの外径Ｄ２よりも小径に形成される。このような握り部１４は、外径Ｄ１を２０〜３５ｍｍ、外径Ｄ２を１５〜３０ｍｍ、外径Ｄ３を１０〜２５ｍｍ程度に形成し、握り部１４に隣接する部位における竿杆１２の外径ｄを５〜２０ｍｍ程度とすることが好ましい。
【００３２】
握り部１４が長さ方向中央部よりも元側に位置し、このような肉厚構造に形成されることにより、竿杆１２の重さを３５〜６５ｇ程度にしたときに、握り部１４の重さを１５〜２５ｇ程度に形成することができ、これにより、竿杆１２の全長Ｌに対する長さの比率（例えば３０％）よりも、竿杆の全重量に対する重さの比率（例えば４０％）を大きくすることができる。これにより、各プリプレグの比重がほぼ同じであっても、竿杆１２の全体の重心位置が後方すなわち元側に配置されることになり、実釣時における持ち重り感を軽減することができる。
【００３３】
握り部１４は、表面を研磨した後、外周面に装飾を施してもよく、あるいは、図５に示すように、外周面に糸条４０を密着巻きしてもよい。この場合には、糸止め部を金属又は樹脂製のリング１７で覆うことが好ましい。
【００３４】
図５に示すように、このように形成したいずれの場合も、この握り部１４を握持した時に、手の掌の窪んだ部位に盛上り部１４Ａが配置されることで、手の掌にフィットする。更に、この盛上り部１４Ａが元側端面１６Ａよりも前方でかつ握り部１４の軸方向中間位置Ｃよりも後方に配置されることにより、握り部１４の重心位置も後方の元側に配置され、実釣時の持ち重り杆が軽減される。これにより、魚釣り操作を軽快に行うことが可能となり、操作性を向上することができる。
【００３５】
また、盛上り部１４Ａの元側に小径部１４Ｂが配置されることで、小指に力を入れて釣竿１０を操作することができ、しかも、小指あるいは薬指に力を掛けた際に盛上り部１４Ａの腹部３６にこれらの指を引っ掛けることで、滑りが防止され、複雑な操作に対応することが可能となる。また、先細部１４Ｃにより、親指や中指等が滑り難くかつ操作がし易く、釣竿１０の微妙かつ複雑な操作を行うことができる。
【００３６】
このような盛上り部１４Ａは、上述のような肉厚構造に形成されるため、重り等を追加することなく、竿杆１２の全長Ｌに対する長さの比率よりも、竿杆の重さに対する比率を大きくすることができ、また、盛上り部１４Ａが中央位置Ｃよりも後方の元側に配置されることにより、先側の重さが相対的に軽量化され、持ち重り感を軽減することができる。
【００３７】
更に、糸条４０を外周面に巻回することにより、装飾効果共に滑り止め効果が得られ、快適な魚釣り操作を行うことができる。糸条４０を巻回した場合でも、盛上り部１４Ａが竿杆１２の拡径部１６に形成されるため、竿杆１２に伝達される魚信を確実に感得することが可能である。
【００３８】
なお、上述の実施形態では振り出し竿を例にとって説明したが、１本竿、並継、逆並継あるいは印籠継ぎ式の釣竿にも適用可能なことは明らかである。
【符号の説明】
【００３９】
１０…釣竿、１２…竿杆、１４…握り部、１４Ａ…盛上り部、１４Ｂ…小径部、１４Ｃ先細部、１６…拡径部、１６Ａ…元側端面、１８…尻栓部材、３４…頂部。
【図１】
2014193133.tif 000003
【図２】
2014193133.tif 000004
【図３】
2014193133.tif 000005
【図４】
2014193133.tif 000006
【図５】
2014193133.tif 000007